(57)【特許請求の範囲】
【請求項１】
シートフレームの内側に張設され、座面部を形成する面状弾性体を有するシートにおいて、
前記シートフレームに嵌り合う嵌合凹部を設けたパッド部材と、該パッド部材を被包する表皮材と、前記シートフレームを基枠とし、前記面状弾性体の周端縁を取り込んで一体成形した土手基部とを設け、
前記表皮材の周端縁を土手基部の前面側に端末止着し、前記パッド部材を前記土手基部に嵌め込んで前記表皮材の周端縁を前記土手基部と一体に嵌合凹部で挟み込み、前記パッド部材を前記表皮材で包み込んで土手部を形成したことを特徴とする面状弾性体による座面を有するシート。
【発明の詳細な説明】
【０００１】
【発明の属する技術分野】
本発明は、通気性のある面状弾性体による座面部を有するシートの改良に関するものである。
【０００２】
【従来の技術】
既に、伸縮性，通気性のある面状弾性体から座面部を形成するシートは知られている（ＵＳＰ５，０１３，０８９、同５，５３３，７８９、特表平８−５０７９３５号）。
【０００３】
そのシートは座面部を面状弾性体で形成することから通気性を付与でき、通常のシートとはデザイン的に様相を変られる。また、通常のシートのような座面部を構成するパッド部材やスプリング部材等を省け、更には軽量化を図れて面状弾性体の薄さによりスペース効率もよいところから好ましい。
【０００４】
従来、その面状弾性体による座面部を有するシートを組み立てるには、樹脂枠を面状弾性体の周端縁に備え、この樹脂枠をシートフレームの軸線上に設けた凹溝に嵌め込んで面状弾性体の端末を止着し、または、面状弾性体の周端縁をそのままシートフレームの軸線上に回し込んで押えプレートと共にねじ止め固定することにより、面状弾性体をシートフレームの枠内に張設配置するものとして提案されている。然し、このシートでは座面部の面位置よりも大きく隆起する土手部を形成できないことから着座時のホールド性に欠ける。
【０００５】
【発明が解決しようとする課題】
本発明は、面状弾性体による座面部と共に、その座面部の面位置よりも大きく隆起する土手部を簡単な構造で堅牢なものに組み立てホールド性を良好に保てる面状弾性体による座面を有するシートを提供することを目的とする。
【０００６】
【課題を解決するための手段】
本発明は、シートフレームの内側に張設され、座面部を形成する面状弾性体を有するシートにおいて、
前記シートフレームに嵌り合う嵌合凹部を設けたパッド部材と、該パッド部材を被包する表皮材と、前記シートフレームを基枠とし、前記面状弾性体の周端縁を取り込んで一体成形した土手基部とを設け、
前記表皮材の周端縁を土手基部の前面側に端末止着し、前記パッド部材を前記土手基部に嵌め合わせて前記表皮材の周端縁を前記土手基部と一体に嵌合凹部で挟み込み、前記パッド部材を前記表皮材で包み込んで土手部を形成したことを特徴とする。
【０００７】
【発明の実施の形態】
以下、添付図面を参照して説明すると、図示実施の形態は図１で示すように車輌用シートにおいてシートバックＢ並びにシートクッションＣを各々組み立てるのに適用されている。この車輌シートの各部Ｂ，Ｃは、略四辺形枠状のシートフレーム１，１０と、座面部を形成する面状弾性体２，１１と、大きな隆起の土手部を形成するパッド部材３，１２と、パッド部材３，１２を被包する表皮材４，１３とから組み立てられている。
【０００８】
そのシートバックＢに基づいて具体的な構成を説明すると、シートバックフレーム１としては図２で示すように金属製のパイプフレームが用いられている。このシートバックフレーム１は、略四辺形の各辺が座者の着座姿勢に適合するよう軸線曲げ形成されている。
【０００９】
面状弾性体２としては、伸縮性，通気性を有する布地が用いられている。例えば、内装織物に使用される繊維状ヤーンからなる複数のストランドで交織された複数のエラストマーモノフィラメントで形成したものを用いるようにできる。また、１０００〜４０００デニールのエラストマーモノフィラメントを経糸または緯糸に織り込み或いは編み込んで伸縮性，通気性を付与した織物または編物を用いるようにできる。
【００１０】
パッド部材３は発泡ウレタン等のクッションフォーム体でなり、シートバックフレーム１の前面，側面または背面側に嵌り合う嵌合凹部３ａを備えて所定の横断面形状に発泡成形されている。そのパッド部材３はシートバックフレーム１の各辺毎に個別に形成し、また、シートバックフレーム１の枠形状に合わせて全体を連続の一体ものに形成するようにもできる。
【００１１】
パッド部材３の前部側は、ホールド性の良好な土手部を組み立てるよう大きく隆起するよう形成されている。特に、両側部の中腹から下部側は大きな隆起を呈し、上部側はヘッドレスト部として大きく隆起するよう形成されている。
【００１２】
表皮材４としては、汎用の本革、合皮，ファブリック等のいずれでも用いることができる。その表皮材４は、内側が開放された横断面略Ｃ字形でシートバックフレーム１の各辺に組み付けられるパッド部材３を外側より包み込めるよう全体が連続の一体ものに縫着形成することができる。
【００１３】
表皮材４の片端末には、ポリプロピレン，ポリエチレン等の樹脂プレート５ａ，５ｂが縫い付けられている。この樹脂プレート５ａ，５ｂは表皮材４の端末を挟んで両側または後述する如く抜き穴に嵌め合わされる突起の突端側のみに配置させて縫着するようにでき、その板面には複数個の抜き穴６ａ，６ｂ…が所定の間隔毎に設けられている。また、他端末には樹脂プレート５ａ，５ｂと同様な樹脂製の掛止めプレート７が縫着されている。
【００１４】
シートバックフレーム２には、そのシートバックフレーム１の軸線を内部に埋込み挿通し、且つ、面状弾性体の縁回りを内部に取込み固着することによりシートバックレーム１を基枠とする土手基部８が一体に樹脂成形されている。この土手基部８は、ポリエチレンテレフタレート，ポリプロピレン，ポリエチレン等の合成樹脂からインジェクション成形することによりパイプフレーム２の軸線に沿って樹脂成形されている。
【００１５】
面状弾性体２は、端末をクランプ等で挟んで適度な張力で周囲より引張支持させて縁回りを型内に組み付け、土手基部８をインジェクション成形することから土手基部８の枠内に張設配置するよう一体に成形できる。
【００１６】
土手基部８と同時に成形することにより、土手基部８には樹脂プレート５ａ，５ｂの抜き穴６ａ，６ｂ…に嵌り合う突起８ａ，８ｂ…が面状弾性体２を張設する前面側に同数設けられている。また、背面側には掛止めプレート７を嵌込み固定する受け溝８ｃがシートフレームの軸線方向に沿って連続するよう設けられている。
【００１７】
上述した部材からシートバックＢを組み立てるには土手基部８をベースとし、まず、表皮材４の片端末を土手基部８の前面側にあてがって土手基部８の突起８ａ，８ｂ…を樹脂プレート５ａ，５ｂの抜き穴６ａ，６ｂ…に嵌め合わせ、各突起８ａ，８ｂ…の突端側を超音波溶着，熱溶着或いは潰しカシメ等でカシメ止めることにより端末止着する。次に、その片端末が止着された表皮材４の内側に位置させるようパッド部材３を土手基部８に組み付けて表皮材４で包み込み、表皮材４の他端末に備えられた掛止めプレート７を土手基部８の受け溝８ｃに嵌込み固定すればよい。
【００１８】
これにより、シートバックフレーム１で強度保持される土手基部８をベースとし、座面部を面状弾性体２で形成すると共に、パッド部材３を包み込む表皮材４から大きく隆起する土手部を形成でき、面状弾性体２による座面部と、その座面部の面位置よりも大きく隆起する土手部とを有するシートバックＢとして簡単な構造で堅牢なものに組み立てることができる。
【００１９】
上述した表皮材４としては片端末を掛止めプレート７と受け溝８ｃとの嵌合せで土手基部８の背面側に巻込み止着するものを備えたが、図４で示すように背面側をスライドファスナー９で開閉可能な表皮材４を備えて面状弾性体２の背面側を覆うよう組み立てることもできる。なお、上述した実施の形態はシートバックＢに基づいて説明したが、シートクッションＣとしても同様に組み立てることができる。
【００２０】
このように構成する面状弾性体による座面を有するシートでは、図１で示すようにランバーサポート１４をバックカバー１５で上下に位置調整自在に備え、そのバックカバー１５を土手基部８の背面下部寄りに取り付けることにより通気性を上部側で保ったバックカバー付きのシートバックＢとして構成することができる。
【００２１】
そのシートバックＢ並びにシートクッションＣは、スライドレール１６ａ，１６ｂで摺動自在に立付け支持されるブラケットプレート１７ａ，１７ｂに取り付け、このブラケットプレート１７ａ，１７ｂを外装カバー１８ａ，１８ｂで覆うことにより前後位置調整可能な通常のシートと同様に構成することができる。また、片側のブラケップレート１７ｂにはリクライニング機構１９を備えることによりリクライニングシートとして構成することもできる。
【００２２】
【発明の効果】
以上の如く、本発明に係る面状弾性体による座面を有するシートに依れば、表皮材の周端縁を土手基部の前面側に端末止着し、パッド部材を土手基部に嵌め合わせて表皮材の周端縁を土手基部と一体に嵌合凹部で挟み込み、パッド部材を前記表皮材で包み込んで土手部を形成することから、ホールド性，着座性に優れたシートとして簡単な構造で堅牢なものに組み立てることができる。
【図面の簡単な説明】
【図１】  本発明に係る面状弾性体による座面を有するシートを示す展開斜視図である。
【図２】  同シートを構成する各部を展開させて示す部分拡大断面図である。
【図３】  同シートを図１のＡーＡ線個所で示す拡大断面図である。
【図４】  本発明の別の実施の形態に係る面状弾性体による座面を有するシートを示す拡大断面図である。
【符号の説明】
１，１０        シートフレーム
２，１１        面状弾性体
３，１２        パッド部材
３ａ            嵌合凹部
４，１３        表皮材
８              土手基部
【図１】
0004009708.tif 000002
【図２】
0004009708.tif 000003
【図３】
0004009708.tif 000004
【図４】
0004009708.tif 000005